(57)【要約】【課題】撮影者の立ち位置にしたがって指向性を変更可能な撮像装置を提供する。【解決手段】映像撮影手段と、映像撮影手段の周囲に配置される少なくとも４つのマイクロフォンと、そのうちの２つのマイクロフォンの音声信号を合成するこで映像撮影手段の特定の方向からの合成音声信号を出力する音声信号処理手段と、を備える撮像装置。撮像装置は、撮影者の立ち位置を選択する選択手段をさらに備え、音声信号処理手段は、選択手段からの選択出力に応じて、合成される２つのマイクロフォンの組み合わせを変更して指向性を切り換える指向性切替手段を備える。【選択図】図６
2008085655.tif 000002
【特許請求の範囲】
【請求項１】
映像撮影手段と、前記映像撮影手段の周囲に配置される少なくとも４つのマイクロフォンと、前記少なくとも４つのマイクロフォンのうちの２つのマイクロフォンの音声信号を合成することにより、前記映像撮影手段の特定の方向からの合成音声信号を出力する音声信号処理手段と、を備える撮像装置であって、
撮影者の立ち位置を選択する選択手段と、をさらに備え、
前記音声信号処理手段は、
前記選択手段からの選択出力に応じて、合成される前記２つのマイクロフォンの組み合わせを変更して指向性を切り換える指向性切替手段を備える、ことを特徴とする撮像装置。
【請求項２】
前記特定の方向は、前記映像撮影手段の背面方向を含む、ことを特徴とする請求項１に記載の撮像装置。
【請求項３】
前記背面方向は、前記映像撮影手段の左背面方向及び右背面方向を含む、ことを特徴とする請求項２に記載の撮像装置。
【請求項４】
表示手段と、
操作手段と、をさらに備え、
前記選択手段は、
前記表示手段に表示される画像を使用して、前記操作手段により前記選択手段を制御することで前記撮影者の立ち位置を選択する、ことを特徴とする請求項１乃至３のいずれか１項に記載の撮像装置。
【請求項５】
前記選択手段は、
前記少なくとも４つのマイクロフォンのうちの２つのマイクロフォンの音声信号を比較する比較手段を備え、前記比較手段の出力に基づき前記撮影者の立ち位置を選択する、ことを特徴とする請求項１乃至３のいずれか１項に記載の撮像装置。
【請求項６】
映像撮影手段と、前記映像撮影手段の周囲に配置される少なくとも４つのマイクロフォンと、を備える撮像装置の制御方法であって、
前記少なくとも４つのマイクロフォンのうちの２つのマイクロフォンの音声信号を合成することにより、前記映像撮影手段の特定の方向からの合成音声信号を出力する音声信号工程と、
撮影者の立ち位置を選択する選択工程と、を備え、
前記音声信号処理工程は、
前記選択工程からの選択出力に応じて、合成される前記２つのマイクロフォンの組み合わせを変更して指向性を切り換える指向性切替工程を備える、ことを特徴とする撮像装置の制御方法。
【請求項７】
前記特定の方向は、前記映像撮影手段の背面方向を含む、ことを特徴とする請求項６に記載の撮像装置の制御方法。
【請求項８】
前記背面方向は、前記映像撮影手段の左背面方向及び右背面方向を含む、ことを特徴とする請求項７に記載の撮像装置の制御方法。
【請求項９】
前記撮像装置は、表示手段と、操作手段と、をさらに備え、
前記選択工程は、
前記表示手段に表示される画像から、前記操作手段により前記選択工程を制御することで前記撮影者の立ち位置を選択する、ことを特徴とする請求項６乃至８のいずれか１項に記載の撮像装置の制御方法。
【請求項１０】
前記選択工程は、
前記少なくとも４つのマイクロフォンのうちの２つのマイクロフォンの音声信号を比較する比較工程を備え、前記比較工程の出力に基づき前記撮影者の立ち位置を選択する、ことを特徴とする請求項６乃至８のいずれか１項に記載の撮像装置の制御方法。
【請求項１１】
請求項６乃至１０のいずれか１項に記載の撮像装置の制御方法の手順が記載されたコンピュータで実行可能なプログラム。
【請求項１２】
請求項１１に記載の撮像装置の制御方法の手順が記載されたプログラムが記憶されたコンピュータ可読記憶媒体。
【発明の詳細な説明】
【技術分野】
【０００１】
本発明は、撮像装置の音声の記録に関し、特に、収録すべき音声を確実に収録することが可能な撮像装置、撮像装置の制御方法、プログラム及び記憶媒体に関する。
【背景技術】
【０００２】
従来の撮像装置においては、背面の音声を収録する場合において、撮影者の立ち位置を意識して撮影を行わない。したがって、収録すべき背面の音声に、撮影者の音声等が合成されて、希望する音声がうまく収録できなかった。
【特許文献１】特開２００２−２３２９８８号公報
【発明の開示】
【発明が解決しようとする課題】
【０００３】
しかしながら正面と背面の音声を同時に撮影する撮像装置において、背面音声は撮影者の立ち位置によって大きく影響を受ける。また背面にいる撮影者の声を拾いやすく、本来撮影したい音声に大きく影響を及ぼす可能性が大きい。
【０００４】
撮影者の影響を最小限にする為、撮影者の位置により背面のマイクの指向性を変化させ、撮影者の声の影響を減らし、本来撮影したいであろう音声の集音を可能とする事で、より臨場感のある背面音声の収録を可能にする必要がある。
【０００５】
したがって、本発明は、撮影者の立ち位置にしたがって指向性を変更可能な撮像装置、撮像装置の制御方法、プログラム及び記憶媒体の提供を目的とする。
【課題を解決するための手段】
【０００６】
上記の目的を達成するため、本発明の実施形態における撮像装置は、映像撮影手段と、前記映像撮影手段の周囲に配置される少なくとも４つのマイクロフォンと、前記少なくとも４つのマイクロフォンのうちの２つのマイクロフォンの音声信号を合成することにより、前記映像撮影手段の特定の方向からの合成音声信号を出力する音声信号処理手段と、を備える撮像装置であって、
撮影者の立ち位置を選択する選択手段と、をさらに備え、
前記音声信号処理手段は、
前記選択手段からの選択出力に応じて、合成される前記２つのマイクロフォンの組み合わせを変更して指向性を切り換える指向性切替手段を備える、ことを特徴とする。
【０００７】
上記の目的を達成するため、本発明の他の実施形態における撮像装置の制御方法は、映像撮影手段と、前記映像撮影手段の周囲に配置される少なくとも４つのマイクロフォンと、を備える撮像装置の制御方法であって、
前記少なくとも４つのマイクロフォンのうちの２つのマイクロフォンの音声信号を合成することにより、前記映像撮影手段の特定の方向からの合成音声信号を出力する音声信号工程と、
撮影者の立ち位置を選択する選択工程と、を備え、
前記音声信号処理工程は、
前記選択工程からの選択出力に応じて、合成される前記２つのマイクロフォンの組み合わせを変更して指向性を切り換える指向性切替工程を備える、ことを特徴とする。
【０００８】
上記の目的を達成するため、本発明の、さらに他の実施形態においては、前記実施形態における撮像装置の制御方法の手順が記載されたコンピュータで実行可能なプログラムを提供する。
【０００９】
上記の目的を達成するため、本発明の、さらに他の実施形態においては、前記実施形態における撮像装置の制御方法の手順が記載されたプログラムが記憶されたコンピュータ可読記憶媒体を提供する。
【発明の効果】
【００１０】
本発明によれば、撮影者の立ち位置にしたがって指向性を変更可能な撮像装置を提供することができる。
【発明を実施するための最良の形態】
【００１１】
＜実施形態１＞
図１は、本発明を適用した実施形態１における撮像装置２０であって、４つの音声録音系のマイクが配置された撮像装置２０の上面図であり、図２は、その撮像装置２０の回路ブロック図である。図１において、撮像装置２０には４つのマイク１乃至４が取り付けられる。すなわち図に示すように、撮像装置２０に対し、前面左側には左前マイク３、前面右側には右前マイク４が取り付けられる。また、撮像装置２０の背面左側には、左後マイク１、背面右側には右後マイク２が取り付けられる。
【００１２】
良く知られているように、撮像装置２０は、レンズ２、ビューファインダ１６及び表示部１１を有する。表示部１１は撮像装置２０の側面に開閉自在に設けられ、撮影時または再生時に映像信号を表示するＬＣＤパネルから構成される。図２は撮像装置２０の回路ブロックであり、特に、本発明の実施形態に関係する音声処理に関して詳しく図示したものである。図２に示すように、これらのマイク１乃至４の出力は、それぞれ左後マイクアンプ５、右後マイクアンプ６、左前マイクアンプ７及び右前マイクアンプ８を介し、撮像装置２０に含まれる音声信号処理部９に供給される。
【００１３】
１０はマイコン部を示し、マイコン部１０はＣＰＵを内蔵し、撮像装置２０の各種の制御を行う。また、本発明の各実施形態の実行もマイコン部１０で実行される。また撮像装置２０は、操作部１２、撮像部１３、信号処理部１４及び記録部１５を備え、撮影した映像信号を、記録部１５の磁気テープ、光磁気ディスク、半導体メモリなどの記録媒体に記録する。勿論、映像信号のみならず、音声信号も同時に記録されることとなる。
【００１４】
なお、図２において、表示部１１は、図１に示す撮像装置２０の本体側面に開閉自在に設けられた表示部１１である。また、音声信号処理部９は、前面左チャンネル音声出力部１６、前面右チャンネル音声出力部１７、背面左チャンネル音声出力部１８及び背面右チャンネル音声出力部１９を備える。これらの出力は必要に応じて多重化され、記録部１５において関連する映像信号と共に、不図示の記録媒体に記録される。
【００１５】
図３は、図２の音声信号処理部９における背面音声生成部のうち、背面左チャンネル音声生成回路の機能ブロック図である。図３において、３０は図２の右後マイクアンプ６と左前マイクアンプ７との出力を切り替えるスイッチ部、３１はスイッチ部３０の音声出力信号のステレオ感を強調する周波数帯域を抜き出すＢＰＦ（バンドパスフィルタ）部である。さらに３２はＢＰＦ部３１からの信号を反転する信号反転部、３３は左後マイクアンプ５の出力と信号反転部３２の信号を加算する信号合成部、３４は信号合成部３３により減衰した周波数帯を補正するイコライザ部である。したがって、この背面左チャンネル音声生成回路からは背面左チャンネル音声出力（ＲＬ出力）が得られる。
【００１６】
また、図４は、図２の音声信号処理部９における背面音声生成部のうち、背面右チャンネル音声生成回路の機能ブロック図である。図４において、４０は図２の左後マイクアンプ５と右前マイクアンプ８との出力を切り替えるスイッチ部、４１はスイッチ部４０の音声出力信号のステレオ感を強調する周波数帯域を抜き出すＢＰＦ（バンドパスフィルタ）部である。さらに、４２はＢＰＦ部４１からの信号を反転する信号反転部、４３は右後マイクアンプ６の出力と信号反転部４２の信号を加算する信号合成部、４４は信号合成部４３により減衰した周波数帯を補正するイコライザ部である。したがって、この背面右チャンネル音声生成回路からは、背面右チャンネル音声出力（ＲＲ出力）が得られる。
【００１７】
音声信号処理部９は、以上のほか、前面の左右チャンネル音声出力を生成する生成回路が含まれるが、本発明の実施に際し、直接関係しない回路部分であるので、その説明は図示することなく省略する。
【００１８】
図５は、撮影者が立ち位置を選択する場合の図１、２に示した表示部１１に表示される表示例であり、図６は、本発明の実施形態１の撮像装置２０の動作を説明する制御フローチャート図である。
【００１９】
以下、図面を参照しながら各部の動作説明を行う。図２に示すように、４つのマイク１乃至４が配置された撮像装置２０において、各マイク１乃至４で集音された音声は電気信号に変えられる。そして音声信号として、それぞれ左後マイクアンプ５、右後マイクアンプ６、左前マイクアンプ７及び右前マイクアンプ８を介して、音声信号処理回路９へ入力される。このとき表示部１１には、たとえば図５に示したユーザインターフェースとなる表示画像５０が表示される。
【００２０】
撮影者は、この表示画像５０を見ながら操作部１２を操作して、図６のステップＳ１０１に示すように、自分の立つ位置、または今立っている位置を選択する。図１の操作部１２を操作して選択された立ち位置情報はマイコン部１０に送られ、マイコン部１０は、この立ち位置情報に従って音声信号処理部９を制御する。
【００２１】
図６において、撮影者の立ち位置選択処理がステップＳ１０１で開始されると、まずステップＳ１０２で示すように、マイコン部１０は撮影者の選択を判断する。すなわち、もし撮影者が、図５の表示画像５０をみて、操作部１２の操作により、１の背面を選択したのであれば、ステップＳ１０５で、スイッチ部３０は、右後マイクアンプ６の出力を選択する。あるいは、ステップＳ１０３に示すように、撮影者が２の左後方を選択したのであれば、ステップＳ１０６で、スイッチ部３０は右後マイクアンプ６の出力を選択する。あるいは、ステップＳ１０４に示すように、３の右後方を選択したのであれば、ステップＳ１０７で、スイッチ部３０は左前マイクアンプ７の出力を選択する。
【００２２】
それ以外、すなわち、４の遠方を選択するのであれば、スイッチ部３０はステップＳ１０８で同じく左前マイクアンプ７の出力を選択し、それぞれステップＳ１０９に進み、処理を終了する。
【００２３】
かくして選択された出力信号を、図３に示すＢＰＦ部３１でステレオ感を強調したい周波数帯域だけ抽出し、抽出した信号を信号反転部３２で反転する。そして、信号合成部３３にて元の信号である左後マイクアンプ５の出力信号と信号反転部３２の出力信号とを加算する。その加算により生成された出力信号が、イコライザ部３４を介して背面左チャンネル音声出力（ＲＬ出力）として得られる。この出力は、図１の背面左チャンネル音声出力部１８に出力される。
【００２４】
同様に、ステップＳ１０２で示すように、もし撮影者が１の背面を選択したのであれば、ステップＳ１０５で、スイッチ部４０は左後マイクアンプ５の出力を選択する。あるいは、ステップＳ１０３に示すように、２の左後方を選択したのであれば、ステップＳ１０６で、スイッチ部４０は右前マイクアンプ８の出力を選択する。あるいは、ステップＳ１０４に示すように、３の右後方を選択したのであれば、図４のスイッチ部４０は左後マイクアンプ５の出力を選択する。
【００２５】
それ以外、すなわち、４の遠方を選択するのであれば、スイッチ部４０はステップ１０８で、右前マイクアンプ８の出力を選択し、それぞれそれぞれステップＳ１０９に進み、処理を終了する。そして、かくして選択された信号を、図４に示すＢＰＦ部４１でステレオ感を強調したい周波数帯域だけ抽出し、抽出した信号を信号反転部４２で反転する。そして、信号合成部４３にて元の信号である右後マイクアンプ６の出力信号と信号反転部４２の出力信号とを加算する。その加算により生成された出力信号が、イコライザ部４４を介して背面右チャンネル音声出力（ＲＲ出力）として得られる。この出力は、図１の背面右チャンネル音声出力部１９に出力される。
【００２６】
このようにして、撮影者の立ち位置の選択にしたがって、指向性特性が変更されて、背面左チャンネル音声出力（ＲＬ出力）及び背面右チャンネル音声出力（ＲＲ出力）が得られる。
【００２７】
この実施形態においては、基本的に４つのマイク１乃至４は無指向性マイクが使用される。しかしながら、指向性のあるマイクを使用し、その指向性を考慮しながら合成することで本発明を実施することも可能である。また、実施形態１では、４つのマイクを使用したが、４つ以上のマイクを使用することでも本発明は実施可能である。
【００２８】
＜実施形態２＞
実施形態１では、撮影者による操作で撮影者の立ち位置を設定した。この実施形態２においては、立ち位置の設定を自動化したものである。図７は、実施形態２の動作を説明するフローチャートを示した図である。また図８は、実施形態２のうち、撮影者立ち位置自動判別処理の機能ブロック図である。
【００２９】
図８において、右前マイクアンプ８及び左前マイクアンプ７の音声信号は加算回路８１で加算される。また、右後マイクアンプ６及び左後マイクアンプ５の音声信号は加算回路８２で加算される。２つの加算回路８１及び８２の加算された音声信号は減算回路８３で引き算され極性判別回路８４に与えられる。したがって、極性判別回路８４の出力が略０である場合は、撮影者の立ち位置が前後の中心、すなわち撮像装置２０と前後において同じ位置であることがわかる。また、極性判別回路８４の出力が＋側の極性であれば、立ち位置は、撮像装置２０の前側、また−側の極性であれば後側であることが判別できる。
【００３０】
また、右前マイクアンプ８及び左前マイクアンプ７の音声信号は減算回路８５で減算される。そして、減算回路８５の出力は極性判別回路８６で極性が判別される。したがって、極性判別回路８６の出力が略０である場合は、撮影者の立ち位置が左右の中心、すなわち撮像装置２０と左右において同じ位置であることがわかる。また、極性判別回路８６の出力が＋側の極性であれば、立ち位置は、撮像装置２０の前右側、また、−側の極性であれば前左側であることが判別できる。
【００３１】
同様に、右後マイクアンプ６及び左後マイクアンプ５の音声信号は減算回路８７で減算される。そして、減算回路８７の出力は極性判別回路８８で極性が判別される。したがって、極性判別回路８６の出力が略０である場合は、撮影者の立ち位置が左右の中心、すなわち撮像装置２０と左右において同じ位置であることがわかる。また、極性判別回路８６の出力が＋側の極性であれば、立ち位置は、撮像装置２０の後右側、また、−側の極性であれば後左側であることが判別できる。
【００３２】
次に、この撮影者立ち位置自動判別手段の動作を、図７に示した、動作を説明するフローチャートを用いて説明を行う。この自動判別を実行するときは、撮影者が自分自身で音声を発するか、または、ブザー等音響発生器を所持し、音響を発生しながら以下の処理を行う。
【００３３】
図７のステップＳ２０１で開始される立ち位置検出処理は、ステップＳ２０２に進み、前方と後方の音声信号レベルを比較する。この処理は、極性判別回路８４の動作に関連する。そして、もし前方の音声信号より後方の音声信号のレベルが大きいと判断されれば、ステップＳ２０３に進み、極性判別を実行する。ステップＳ２０３の処理は、極性判別回路８８の動作に関連する。上述するように、この極性判別により、撮影者の立ち位置が、背面、右後方及び左後方であるかが自動的に判定される。
【００３４】
また、先のステップＳ２０２で、撮影者の立ち位置が前方と判断されたら、ステップＳ２０４に進み、極性判別を実行する。ステップＳ２０４の処理は、極性判別回路８６の動作に関連する。上述するように、この極性判別により、撮影者の立ち位置が、前面、右前方及び左前方であるかが自動的に判定される。また、ステップＳ２０２で略０であった場合には、ステップＳ２０３又はステップＳ２０４を用いた極性判別を行い、撮影者の立ち位置が撮像装置２０の左側か右側かを判断することが可能となる。この場合、べつに、右前マイクアンプ８と右後マイクアンプ６の加算出力と、左前マイクアンプ７と左後マイクアンプ５の加算出力とを減算回路で減算し、その出力信号の極性判別で左右の判別とすることも可能である。
【００３５】
かくして自動的に得られた立ち位置判断情報を、図１のマイコン部１０に供給し、自動的に図３のスイッチ部３０、図４のスイッチ部４０を切り替える。それにより、背面の撮影者の音声の影響の少ないように、配置された４つマイクの合成指向性を適宜変化させることが可能となる。
【００３６】
また、本発明の目的は、前述した実施形態の機能を実現するソフトウェアのプログラムコードを記録した記憶媒体を、システムあるいは装置に供給しても達成可能である。すなわち、そのシステムあるいは装置のコンピュータ（またはＣＰＵやＭＰＵ）が記憶媒体に格納されたプログラムコードを読出し実行することによっても、達成されることは言うまでもない。この場合、記憶媒体から読出されたプログラムコード自体が前述した実施形態の機能を実現することになり、そのプログラムコードを記憶した記憶媒体は本発明を構成することになる。
【００３７】
プログラムコードを供給するための記憶媒体としては、例えば、フレキシブルディスク、ハードディスク、光ディスク、光磁気ディスク、ＣＤ−ＲＯＭ、ＣＤ−Ｒ、磁気テープ、不揮発性の半導体メモリカード、ＲＯＭなどを用いることができる。また、コンピュータが読出したプログラムコードを実行することにより、前述した実施形態の機能が実現される場合もある。
【００３８】
しかし、さらにそのプログラムコードの指示に基づき、コンピュータ上で稼働しているＯＳ（オペレーティングシステム）などが実際の処理の一部または全部を行い、その処理によって前述した実施形態の機能が実現される場合も含まれることは言うまでもない。
【００３９】
さらに、記憶媒体から読出されたプログラムコードが、コンピュータに挿入された機能拡張ボードやコンピュータに接続された機能拡張ユニットに備わるメモリに書込まれる場合もあり得る。その後、そのプログラムコードの指示に基づき、その機能拡張ボードや機能拡張ユニットに備わるＣＰＵなどが実際の処理の一部または全部を行い、その処理によって前述した実施形態の機能が実現される場合も含まれることは言うまでもない。
【図面の簡単な説明】
【００４０】
【図１】本発明の実施形態が適用可能な撮像装置の上面図である。
【図２】本発明の実施形態が適用可能な撮像装置の機能ブロック図である。
【図３】本発明の実施形態１が適用された背面左チャンネル音声生成の機能ブロック図である。
【図４】本発明の実施形態１が適用された背面右チャンネル音声生成の機能ブロック図である。
【図５】本発明の実施形態１において、撮影者が立ち位置を選択する場合の表示例を示す図である。
【図６】本発明の実施形態１が適用された撮像装置の動作を説明するフローチャートを示す図である。
【図７】本発明の実施形態２が適用された撮像装置の動作を説明するフローチャートを示す図である。
【図８】本発明の実施形態２が適用された撮影者立ち位置の自動判別処理の機能ブロック図である。
【図１】
2008085655.tif 000003
【図２】
2008085655.tif 000004
【図３】
2008085655.tif 000005
【図４】
2008085655.tif 000006
【図５】
2008085655.tif 000007
【図６】
2008085655.tif 000008
【図７】
2008085655.tif 000009
【図８】
2008085655.tif 000010